(57)【要約】【課題】簡単な構成であって、可動ミラー部材のバウンドを抑え、かつ、可動ミラー装置のコンパクト化も可能であるカメラを提供する。【解決手段】一眼レフカメラ１は、回転を行うミラー部材であって、撮像光学系の光路上に入るダウン位置Ｐ１と、上記撮像光学系の光路上から退避するアップ位置との間を往復するミラー枠１５と、ミラー枠１５がアップ位置からダウン位置に復帰するとき、ダウン位置近傍でミラー枠１５の少なくとも一部と衝突し、ミラー枠１５のダウン位置Ｐ１における停止位置を規制するストッパ４ａと、ミラー枠１５の回転軸近傍に一端が付設されるとともに、ミラー枠１５の少なくとも一部とストッパ４ａとが衝突した際に振動することで、ミラー枠１５がダウン位置Ｐ１に復帰した際に生ずる残振動を抑制する振動抑制板１５ｄとを具備する。【選択図】図３
2010160211.tif 000002
【特許請求の範囲】
【請求項１】
回転を行うミラー部材であって、撮像光学系の光路上に入る第一の位置と、上記撮像光学系の光路上から退避する第二の位置と、の間を往復する可動ミラー部材と、
上記可動ミラー部材が上記第二の位置から上記第一の位置に復帰するとき、上記第一の位置近傍で上記可動ミラー部材の少なくとも一部と衝突し、上記可動ミラー部材の上記第一の位置における停止位置を規制する停止位置規制部材と、
上記可動ミラー部材の回転軸近傍に一端が付設されるとともに、上記可動ミラー部材の少なくとも一部と上記停止位置規制部材とが衝突した際に振動することで、上記可動ミラー部材が上記第一の位置に復帰した際に生ずる残振動を抑制する振動抑制部材と、
を具備することを特徴とするカメラ。
【請求項２】
上記振動抑制部材は、上記可動ミラー部材の少なくとも一部と上記停止位置規制部材とが衝突した後、上記可動ミラー部材の振動の最大振幅が現れるまでに、上記可動ミラー部材の非対物側の面と接触することを特徴とする請求項１に記載のカメラ。
【請求項３】
上記振動抑制部材は、上記可動ミラー部材の少なくとも一部と上記停止位置規制部材とが衝突した後、当該可動ミラー部材の振動の最大振幅が現れてから次に振幅が最大になるまでに、上記可動ミラー部材の対物側の面と接触することを特徴とする請求項１に記載のカメラ。
【請求項４】
上記振動抑制部材は、上記可動ミラー部材を前記第二の位置から前記第一の位置に付勢するミラー付勢ばねであることを特徴とする請求項１に記載のカメラ。
【発明の詳細な説明】
【技術分野】
【０００１】
本発明は、ファインダ観察用（測距用を含む）のクイックリターンミラーを駆動する駆駆動機構を備えるカメラに関する。
【背景技術】
【０００２】
従来、ファインダ観察用（測距用を含む）のクイックリターンミラーを備えるカメラ、例えば、一眼レフレックスデジタルカメラにおいて、測距用サブミラーを備えたクイックリターンミラーは、撮影光学系である撮影レンズを介して取り込まれる被写体光束の光路に進入し、ファインダ観察を行い、さらに、サブミラーにより被写体距離の測定（測距）を行うために被写体光束を測距センサに向けて反射するダウン位置と、上記被写体光束の光路から退避し、被写体像の撮像信号を得るために撮像素子に入射可能にするアップ位置とに回動駆動される。
【０００３】
図１６は、上記従来の一眼レフデジタルカメラのクイックリターンミラーまわりの要部の構成を示す模式図であって、上記カメラにおいては、撮影レンズから取り込まれる光軸Ｏに沿った被写体光束は、光軸Ｏに沿ってカメラボディ１００内に取り込まれる。上記光軸Ｏ上には、支持軸１０４に支持されたサブミラー１０２を備え、回動軸１０３に支持される回動可能なクイックリターンミラー１０１と、撮像素子を含む撮像ユニット１０７が配され、クイックリターンミラー１０１の上部には、スクリーン、ペンタプリズム、接眼レンズ等を有するファインダユニット１０８が配されている。
【０００４】
図１６に示すようにクイックリターンミラー１０１は、ミラー駆動機構の駆動レバー（図示せず）を介してストッパ１０５に当接するダウン位置Ｐ１と、ストッパ１０６に当接するアップ位置Ｐ２とに回動駆動されるが、通常、ダウン位置Ｐ１に向けてバネ付勢されており、アップ位置Ｐ２へはカムにより付勢バネをチャージする状態で回動駆動される。進入位置Ｐ１へはカムの後退による上記付勢バネの付勢力により高速で回動駆動される。従って、ミラー１０１がダウン位置Ｐ１まで回動駆動され、ストッパ１０５に当接した際、回動方向のバウンドと該バウンドによる弾性変形が生じる。
【０００５】
図１７は、上記バウンド発生時のクリックリターンミラー１０１の弾性変形状態を有限要素法により解析して示した図である。図１７に示されるように上記ミラー前面に亘って弾性変形が生じている。
【０００６】
上記バウンドによる振動発生によってファインダ観察像が安定するまで時間を要する。また、サブミラーによる測距も上記バウンドの安定後に行う必要があった。
【０００７】
そこで、特許文献１に開示されたカメラのミラーバウンド防止装置は、ミラーのストッパに当て付ける面を設け、該当て付け面は、該ミラーの回動方向の円周に対して傾斜し、かつ、撮影レンズ光軸と垂直な面に沿って形成する。上記ミラーが上記ストッパに当て付いたとき、上記撮影レンズ光軸に対する傾斜が変化しないような状態で振動することで、上記振動によるファインダ観察像の揺らぎを抑えるように構成されている。
【０００８】
特許文献２乃至５に開示されたミラーバウンド防止装置は、ミラーがストッパに当接したとき、上記ミラーをストッパ側に強制的に押さえ込むためのバウンド防止部材を設けたものである。
【０００９】
特許文献６乃至９に開示されたミラーバウンド防止装置は、ミラーがストッパに当接するとき、ミラーを別途に設けられる可動の慣性体に当て付けることによってミラー回動時の運動エネルギルギを上記可動の慣性体に伝達し、ミラー側のバウンドを無くすように構成したものである。
【００１０】
特許文献１０に開示された可動ミラーユニットは、ミラーとミラーを保持する枠の間に緩衝材を挿入することで、ミラーを保持する枠の振動をミラーに伝えない構成を採用している。
【先行技術文献】
【特許文献】
【００１１】
【特許文献１】特開昭６１−２７８８３１号公報
【特許文献２】特開平１０−２０６９６８号公報
【特許文献３】特開平１１−０２４１６３号公報
【特許文献４】特開平１１−０３８５０１号公報
【特許文献５】特許第３９００５５１号
【特許文献６】特開平０９−２７４２４９号
【特許文献７】特許第３４５３７９９号
【特許文献８】特開第３５３６１３１号
【特許文献９】特開第３８０４１０９号
【特許文献１０】特開２００６−１８９５３９号
【発明の開示】
【発明が解決しようとする課題】
【００１２】
しかし、上述した特許文献１に開示されたミラーバウンド防止装置は、構成が簡単ではあるが、ミラーのバウンドをより速やかに収めることに対しては必ずしも有効ではない。さらに、斜面で当接する構造であることから回動方向の精度のよい位置決めが困難である。
【００１３】
上述した特許文献２乃至５に開示されたものは、上記バウンド防止部材の構造が複雑化し、ミラー部の占有エリアが増大して、装置の小型化が困難になる。
【００１４】
特許文献６乃至９に開示されたミラーバウンド防止装置は、ミラーとは別体の可動の慣性体を配する必要があり、構造が複雑化するとともに、占有スペースが大きくなり、装置の重量も増えるなどの問題がある。
【００１５】
特許文献１０に開示された可動ミラーユニットでは、ミラー自体の振動が抑制されても、ミラーを保持する枠も含めたユニットでは振動抑制効果が不十分である。
【００１６】
本発明は、上述の問題を解決するためになされたものであり、簡単な構成であって、可動ミラー部材のバウンドを抑え、かつ、可動ミラー装置のコンパクト化も可能であるカメラを提供することを目的とする。
【課題を解決するための手段】
【００１７】
本発明の請求項１に記載のカメラは、回転を行うミラー部材であって、撮像光学系の光路上に入る第一の位置と、上記撮像光学系の光路上から退避する第二の位置と、の間を往復する可動ミラー部材と、上記可動ミラー部材が上記第二の位置から上記第一の位置に復帰するとき、上記第一の位置近傍で上記可動ミラー部材の少なくとも一部と衝突し、上記可動ミラー部材の上記第一の位置における停止位置を規制する停止位置規制部材と、上記可動ミラー部材の回転軸近傍に一端が付設されるとともに、上記可動ミラー部材の少なくとも一部と上記停止位置規制部材とが衝突した際に振動することで、上記可動ミラー部材が上記第１の位置に復帰した際に生ずる残振動を抑制する振動抑制部材とを具備する。
【００１８】
本発明の請求項２に記載のカメラは、請求項１に記載のカメラにおいて、上記振動抑制部材は、上記可動ミラー部材の少なくとも一部と上記停止位置規制部材とが衝突した後、上記可動ミラー部材の振動の最大振幅が現れるまでに、上記可動ミラー部材の非対物側の面と接触する。
【００１９】
本発明の請求項３に記載のカメラは、請求項１に記載のカメラにおいて、上記振動抑制部材は、上記可動ミラー部材の少なくとも一部と上記停止位置規制部材とが衝突した後、当該可動ミラー部材の振動の最大振幅が現れてから次に振幅が最大になるまでに、上記可動ミラー部材の対物側の面と接触する。
【００２０】
本発明の請求項４に記載のカメラは、請求項１に記載のカメラにおいて、上記振動抑制部材は、上記可動ミラー部材を前記第二の位置から前記第一の位置に付勢するミラー付勢ばねである。
【発明の効果】
【００２１】
本発明によれば、簡単な構成であって、可動ミラー部材のバウンドを抑え、かつ、可動ミラー装置のコンパクト化も可能であるカメラを提供することができる。
【発明を実施するための最良の形態】
【００２２】
以下、本発明の実施の形態を図に基づいて説明する。
【００２３】
図１は、本発明の第一の実施形態のカメラであるデジタル式一眼レフカメラの要部の構成を示す撮影レンズ光軸に沿った断面図である。図２は、上記一眼レフデジタルカメラのミラーボックス部を前方側からみた斜視図である。図３は、上記一眼レフカメラのミラーユニットを前方側からみた斜視図であって、ミラーダウン状態を示す。図４は、上記ミラーユニットのミラー枠がダウン位置停止時に衝撃を受けたときの弾性変形状態を有限要素法によって解析して示した図である。図５は、上記ミラー枠の側面図である。
【００２４】
本実施形態の一眼レフカメラ１は、図１に示すようにカメラボディ２と、カメラボディ２に着脱可能な交換式レンズ鏡筒３とからなる。
【００２５】
レンズ鏡筒３は、レンズ光軸を有する撮影レンズ３ａを内蔵しており、カメラボディ２に対してボディマウント１０により装着可能である。
【００２６】
カメラボディ２は、図１，２に示すようにカメラ本体部２ａ内部に配される構成部材として、前面部にボディマウント１０が配され、かつ、ミラーユニット５および測距センサユニット６を内蔵するミラーボックス４と、ミラーボックス４の後方部に配されるシャッタユニット７、および、撮像ユニット８と、ミラーボックス４の上方部に配されるファインダユニット９と、さらに、カメラ制御部および各ユニット駆動部（図示せず）を具備している。
【００２７】
なお、レンズ鏡筒３がカメラボディ２に装着された状態での撮影レンズ光軸を図中、Ｏで示し、光軸Ｏ方向の被写体側をカメラボディ２の前方側とし、結像側を後方側とする。また、光軸Ｏに対する左右方向をｚ方向とする。また、ミラーユニット５のクイックリターンミラーを保持するミラー枠１５（後述）がストッパ４ａ（後述）に当接した状態のダウン位置Ｐ１（後述）におけるミラー面に沿った先端側に向かう方向をｘ方向とし、ミラー面と直交する方向をｙ方向とする。これらの方向は、後述する他の実施形態においても共通とする。
【００２８】
カメラボディ２に内蔵されるファインダユニット９は、焦点板１１と、ペンタプリズム１２と、接眼レンズ１３とからなりファインダ光学系を構成する。
【００２９】
ミラーユニット５は、ミラーボックス４の内部に回動可能に支持される可動ミラー部材であるミラー枠１５と、ミラー枠１５の上面部に固着され、被写体光束を反射する反射面を有するクイックリターンミラー１６と、ミラー枠の下面部に駆動可能に支持されるサブミラー１７とからなる。
【００３０】
ミラー枠１５は、図３に示すようにミラーボックス４内にてｚ方向に沿った回動軸１８を介して回動可能に支持されており、ミラー枠１５の下面部には、ミラー枠１５が衝撃を受けたときの振動を抑制するための振動抑制部材である振動抑制板１５ｄが装着されている。そして、ミラー枠１５は、ミラー付勢バネ１９によってダウン方向側に付勢されており、さらに、ミラー駆動装置（図示せず）によりチャージバネ（図示せず）を介してアップ方向側に付勢される。
【００３１】
ミラー枠１５を上記チャージバネをチャージする状態でミラー駆動レバー（図示せず）が一方方向に回動駆動されると、被駆動ピン１５ａを介してミラー付勢バネ１９の付勢力に抗して上方に向けて回動駆動され、ミラーボックス４の内壁面のストッパ４ｂに当接して上方の第二の位置であるアップ位置Ｐ２に停止する。一方、上記上記チャージバネのチャージ状態が解放され、ミラー駆動レバーが逆方向に回動駆動されるとミラー付勢バネ１９の付勢力によって下方（ミラーダウン方向）に向けて回動駆動され、ミラーボックス４の内壁面の停止位置規制部材であるストッパ４ａに当接して下方の第一の位置であるダウン位置Ｐ１に停止する。そのとき、ミラー枠１５の背面部に配されるサブミラー１７も上記回動動作に連動して回動移動する。
【００３２】
ミラー枠１５が下方のダウン位置Ｐ１に位置した状態では、クイックリターンミラー１６がレンズ光軸Ｏ上の被写体光束の光路内に斜設状態で位置する（図１，２）。この状態では撮影レンズ３ａを介して取り込まれた被写体光束は、クイックリターンミラー１６によって上方のファインダユニット９に向けて反射され、ファインダ観察が可能となる。また、サブミラー１７は、ミラー枠１５がダウン位置Ｐ１にあるとき、ミラー枠１５の後方部にて光軸Ｏ上に斜設状態で位置しており、クイックリターンミラー１６の一部を透過した被写体光束の一部が焦点検出用素子である測距センサユニット６側に反射され、被写体距離の測定（測距）が可能となる。
【００３３】
ミラー枠１５が上方のアップ位置Ｐ２に位置した状態では、クイックリターンミラー１６、サブミラー１７とともに被写体光束の光路外に退避した状態にあり、撮影レンズ３ａを介して取り込まれた被写体光束は、開状態にあるシャッタユニット７を通過して撮像ユニット８の光電変換素子である撮像素子の光電変換面上に結像する。そして、上記撮像素子より出力される撮像信号が上記カメラ制御部により処理され、被写体画像信号として出力される。
【００３４】
振動抑制板１５ｄは、弾性変形可能な平板部材からなり、ミラー枠１５の下面側左方寄りにｘ方向の回転軸１８側端部が固定ピン１５ｅによってミラー枠１５の裏面部に固定され、また、反回転軸１８側が自由端状態で、かつ、その先端ａ２が対物側のミラー枠裏面部１５ｃの先端ａ１と僅かな隙間のある状態で支持されている（図４，５）。なお、該隙間の程度は、振動抑制板１５ｄの先端ａ２がバウンド時の弾性変形でミラー枠裏面部１５ｃに当接可能な隙間であるが、これに限らず、先端ａ２と裏面部１５ｃの先端ａ１とは、静止状態で隙間がなく、上記バウンド時の振動によって、離間、当接を繰り返す状態に保持される状態であっても同様の効果を奏する。また、先端ａ１とａ２の位置は、必ずしも揃えて配置する必要はない。
【００３５】
振動抑制板１５ｄが装着されたミラー枠１５は、後述するようにダウン位置Ｐ１にてストッパ４ａに当接後のバウンドと該バウンド時の弾性変形振動が抑制される。図４は、有限要素法を用いてバウンド時の微小弾性変形状態を拡大して示した図である。図１７の従来のミラー枠１０１の場合と比較して弾性変形の度合いは、ストッパ４ａに当接した直後を示しているので、変形の度合いは略同じであるが、後述する図１１の速度変化の線図に示されるように極短い時間経過後、その振動状態は減衰する。
【００３６】
ここで、図６〜１１を用いてミラー枠１５がダウン位置Ｐ１にてストッパ４ａに衝突したときのバウンドおよび弾性変形による振動抑制動作の挙動を詳細に説明する。
【００３７】
図６は、上記振動抑制板が装着されていない場合の上記ミラー枠のバウンド時のｘｙ断面上の各点の変位状態を示す図である。図７〜１０は、上記バウント発生時にて上記ミラー枠と振動抑制板が互いに干渉しないと仮定した場合、ミラー枠先端部ａ１の変位比ｙ１に対する振動抑制板先端部ａ２の変位比ｙ２の経過時間に対する振動状態を想定して示した線図である。そのうち、図７は、振動抑制効果がある場合の一例を示し、図８〜１０は、振動抑制効果がない場合の三つの例を示している。図１１は、上記バウント時における振動抑制板が適用されたミラー枠の先端速度比Ｓ１と、振動抑制板が適用されない従来のミラー枠の先端速度比Ｓ０との経過時間に対する振動の速度変化をコンピュータ解析により求めた線図である。但し、上記先端速度比は、従来のミラー枠の最大速度を基準１としたときの比率で示される。
【００３８】
振動抑制板が装着されていない状態のミラー枠１５がダウン位置に向けて回動し、ストッパ４ａに当接したとき、バウンドすると同時に図６に示すようにミラー枠１５は振動し、Ｚ方向の各ｘｙ断面の各点Ｐｙｘがｙ方向に変位する弾性変形する。
【００３９】
上記バウント発生時、ミラー枠１５と振動抑制板１５ｄとが互いに干渉しない状態を考えたとき、ストッパ４ａ当接後、それぞれの先端ａ１、先端ａ２が図７に示すような振動軌跡である変位比ｙ１，ｙ２を描く場合、振動抑制板１５ｄによるミラー枠１５の制振効果が生じる。
【００４０】
すなわち、ミラー枠１５の先端部ａ１の変位比ｙ１（片振幅を１とする）に対して、振動抑制板１５ｄの先端部ａ２の変位比ｙ２（先端部ａ１に対する変位比）は、一旦、下方に向けてやや大きく撓むが振動周期がミラー枠１５よりも短く、ミラー枠１５の先端部ａ１が下方の振動位相π／２以内の位置にあるタイミングｔ１で振動抑制板１５ｄの先端部ａ２が下方側から当接する。このような当接状態が得られれば、ミラー枠１５の先端部ａ１は、振動が抑制される。
【００４１】
言い換えると、先端部ａ１の変位比ｙ１および先端部ａ２の変位比ｙ２は、次式で示される。すなわち、それぞれ振幅をｂ１，ｂ２（＜０とする）、角周波数をω１，ω２として、
ｙ１＝ｂ１×ｓｉｎ（ω１×ｔ）…（１）
ｙ２＝ｂ２×ｓｉｎ（ω２×ｔ）…（２）
で示され、先端部ａ１の変位比ｙ１の振動位相０〜π／２の範囲にあるとき、
｜ｙ１｜＞｜ｙ２｜…（３）
となれば、振動位相０〜π／２の降下時、先端部ａ１に対して先端部ａ２が下方側から当接するので、振動抑制板１５ｄによるミラー枠１５の制振効果が生じる。この条件を満足するためには、ミラー枠１５と振動抑制板１５ｄとの振動モードが異なること、すなわち、ω２がω１に対して大きく、振動抑制板１５ｄの方の振幅が大きいことが必要である。また、振動位相０〜π／２以降のタイミングにおいては、ミラー枠１５がストッパ４ａに当接した後、ミラー枠１５が上方の最大振幅位置から続く下方の最大振幅位置に達するまでに振動抑制板１５ｄがミラー枠１５の裏面部１５ｃに当接することで振動の抑制がなされる。
【００４２】
なお、ミラー枠１５と振動抑制板１５ｄとの衝撃、振動解析を行って、変位比ｙ１，ｙ２を算出し、もし、（３）式が成立しない場合には、振動抑制板１５ｄの形状を変更する必要がある。一般に固有振動数を高めるには、剛性を高くし、質量を下げる。そこで、振動抑制板１５ｄの形状や材質を変更することによって角周波数ω２をω１より大きくする。これによって（３）式を満足する条件のもとで振動抑制効果を高めるようことが可能になる。
【００４３】
しかし、図８に示すようにω１に対してω２が比較的近い状態であった場合、先端部ａ２が図７の場合よりも遅れて変位することから上昇過程にある先端部ａ１の下面の当接して押し上げる状態になる。従って、ミラー枠１５は、その振動が抑制されることがない。また、図９，１０に示すようにω１＞ω２であった場合、振動位相３π／２以後、先端部ａ１が中立位置より上方位置にある状態で先端部ａ２が下方側から当接するので、ミラー枠１５の制振がなされない。
【００４４】
図１１に示すように上記バウンド発生時、振動抑制板を適用しない従来のミラー枠１０１の速度比Ｓ０に対して振動抑制板１５ｄを適用するミラー枠１５においては、振動抑制板１５ｄにより振動エネルギが吸収され、速度比Ｓ１がより早く収束し、安定する。すなわち、バウンドが早く安定する。さらにミラー枠自体の弾性変形振動（高周波ビビリ振動）も振動抑制板１５ｄが当接することによって減じられる。同時にミラー枠１５に装着されているサブミラー１７の振動も早く収まる。従って、ミラー枠１５がダウン位置Ｐ１に到達後、素早くファインダによる被写体像の観察動作に移ることが可能であり、同時に測距センサユニット６による測距処理に早急に移行することができる。
【００４５】
以上、説明したように本実施形態の一眼レフカメラ１によれば、ミラーユニット５に単一部材である振動抑制板１５ｄを装着した簡単な構成のミラー枠１５を適用することにより、ダウン位置Ｐ１におけるミラー枠のバウンドおよびミラー枠自体の弾性変形振動を抑制して、ファインダ観察および測距へ早期移行を可能とする。そして、高速連写が可能となる。
【００４６】
次に、本発明の第二の実施形態の一眼レフカメラに適用されるミラー枠について、図１２〜１４を用いて説明する。
【００４７】
図１２は、本実施形態の一眼レフカメラに適用されるミラー枠のダウン位置における側面図である。図１３，１４は、上記ミラー枠の斜視図であって、図１３は、アップ位置にある状態、図１４は、ダウン位置にある状態を示す。
【００４８】
本実施形態のミラー枠２１には前述したミラー枠１５に装着される振動抑制板１５ｄおよびミラー付勢バネ１９に替えてミラー枠付勢および振動抑制作用を兼ねるミラー付勢バネ２１ｄが装着される。その他のミラーユニット等の構成は、第一の実施形態と同様とする。
【００４９】
ミラー枠２１は、ミラー枠１５と同様にダウン位置Ｐ１とアップ位置Ｐ２に回動可能な状態で回動軸１８を介してミラーボックス４に支持され、ミラー付勢バネ２１ｄおよびチャージバネ（図示せず）によって付勢されている。
【００５０】
ミラー付勢バネ２１ｄは、トーションバネからなり、ミラー枠２１の左側面側の回動軸１８に巻回されて装着される。このミラー付勢バネ２１ｄの一方側のフック部２１ｅがミラーボックスストッパ４ｃに懸架され、他方側がミラー枠２１のバネ係止部２１ｈを挿通して懸架され、バネ係止部２１ｈを挿通した部分に振動抑制部２１ｆが設けられている。振動抑制部２１ｆの先端部２１ｇは、ミラー枠２１の対物側の裏面部２１ｃ側に折り曲げられており、該裏面部に対して静止状態で僅かな隙間をもって位置している。なお、該隙間の程度は、振動抑制部２１ｆがバウンド時の弾性変形でミラー枠裏面部２１ｃに当接可能な隙間であるが、これに限らず、先端部２１ｇと裏面部２１ｃとは、静止状態で隙間がないが上記バウンド時の振動によって、離間、当接を繰り返す状態に保持されていても同様の効果を奏する。
【００５１】
ミラー付勢バネ２１ｄが装着されたミラー枠２１は、ミラー付勢バネ２１ｄの付勢力によってミラー枠１５と同様にダウン位置Ｐ１に回動され、ストッパ４ａに当接したとき、バウンドが発生する。しかし、上記バウンド発生時にミラー付勢バネ２１ｄに設けられた振動抑制部２１ｆの先端部２１ｇがミラー枠２１の裏面部２１ｃに当接することによりバウンド自体および該バウンドにより発生する弾性変形振動の抑制がなされる。
【００５２】
このミラー付勢バネ２１ｄの振動抑制部２１ｆのバウンドおよび弾性変形振動の抑制作用も前記振動抑制板１５ｄの場合に説明した作用と同様である。
【００５３】
本実施形態のミラー枠２１を適用した場合も前記第一の実施形態の場合と同様の効果を奏し、さらに、ミラー付勢バネ２１ｄに振動抑制部２１ｆを設けているので、振動抑制のための専用部材を必要としない。
【００５４】
次に上記第二の実施形態のミラー枠２１のミラー付勢バネ２１ｄの変形例について図１５を用いて説明する
図１５は、本変形例を適用するミラー枠の側面図であって、ダウン位置にある状態を示している。
【００５５】
本変形例のミラー付勢バネ３１ｄを適用するミラー枠３１は、前記第二の実施形態のミラー枠２１と同様の構成を有する。
【００５６】
ミラー枠３１に装着されるミラー付勢バネ３１ｄは、ミラー付勢バネ２１ｄと同様にトーションバネからなり、回動軸１８に巻回され、ミラー枠３１の左側面側に装着される。このミラー付勢バネ３１ｄの一方側のフック部３１ｅがミラーボックスストッパ４ｃに懸架され、他方側がミラー枠３１のバネ係止部３１ｈを挿通して懸架され、バネ係止部３１ｈを挿通した部分に振動抑制部３１ｆが設けられている。振動抑制部３１ｆの先端部３１ｇは、ミラー枠３１の表面部３１ｉ側に折り曲げられており、該表面部に対して静止状態で僅かな隙間をもって位置している。
【００５７】
ミラー付勢バネ３１ｄが装着されたミラー枠３１においても第二の実施形態の場合と同様にミラー付勢バネ３１ｄの付勢力によってミラー枠３１がダウン位置Ｐ１に回動され、ストッパ４ａに当接したとき、バウンドが発生する。しかし、上記バウンド発生時にミラー付勢バネ３１ｄに設けられた振動抑制部３１ｆの先端部３１ｇがミラー枠３１も表面部３１ｉに当接し、バウンド自体および該バウンドにより発生した弾性変形振動の抑制がなされ、同様の効果を奏する。
【００５８】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００５９】
上述のように本発明のカメラは、簡単な構成であって、可動ミラー部材のバウンドを抑え、かつ、可動ミラー装置のコンパクト化も可能であるカメラとして利用が可能である。
【図面の簡単な説明】
【００６０】
【図１】本発明の第一の実施形態のカメラであるデジタル式一眼レフカメラの要部の構成を示す撮影レンズ光軸に沿った断面図である。
【図２】図１の一眼レフデジタルカメラのミラーボックス部を前方側からみた斜視図である。
【図３】図１の一眼レフカメラのミラーユニットを前方側からみた斜視図であって、ミラーダウン位置状態を示す。
【図４】図３のミラーユニットのミラー枠がダウン位置停止時に衝撃を受けたときの有限要素法解析によるの変形状態を示す図である。
【図５】図３のミラーユニットのミラー枠の側面図である。
【図６】図５のミラー枠に振動抑制板が装着されない状態でのバウンド時のｘｙ断面上の変形状態を示す図である。
【図７】図５のミラー枠において、バウント発生時にて上記ミラー枠と振動抑制板が互いに干渉しない独立の状態とした場合、ミラー枠先端部に対する振動抑制板先端部の比の経過時間に対する振動状態の変化を想定して示した線図であって、振動抑制効果がある場合の一例を示す。
【図８】図５のミラー枠において、バウント発生時にて上記ミラー枠と振動抑制板が互いに干渉しない独立の状態とした場合、ミラー枠先端部に対する振動抑制板先端部の比の経過時間に対する振動状態を想定して示した線図であって、振動抑制効果がない場合の一例を示す。
【図９】図５のミラー枠において、バウント発生時にて上記ミラー枠と振動抑制板が互いに干渉しない独立の状態とした場合、ミラー枠先端部に対する振動抑制板先端部の比の経過時間に対する振動状態を想定して示した線図であって、振動抑制効果がない場合の他の一例を示す。
【図１０】図５のミラー枠において、バウント発生時にて上記ミラー枠と振動抑制板が互いに干渉しない独立の状態とした場合、ミラー枠先端部に対する振動抑制板先端部の比の経過時間に対する振動状態を想定して示した線図であって、振動抑制効果がない場合のさらに他の一例を示す。
【図１１】図５のミラー枠のバウント時における先端速度比と従来のミラー枠の先端速度比との経過時間に対する振動速度変化をコンピュータ解析により求めた線図である。
【図１２】本発明の第二の実施形態の一眼レフカメラに適用されるミラー枠のダウン位置における側面図である。
【図１３】図１２のミラー枠の斜視図であって、アップ位置にある状態を示す。
【図１４】図１２のミラー枠の斜視図であって、ダウン位置にある状態を示す。
【図１５】本変形例を適用するミラー枠の側面図であって、ダウン位置にある状態を示している。
【図１６】従来の一眼レフデジタルカメラのクイックリターンミラーまわりの要部の構成を示す模式図である。
【図１７】図１６のクイックリターンミラーのバウンド発生時の弾性変形状態を有限要素法により解析して示した図である。
【符号の説明】
【００６１】
４ａ…ストッパ（停止位置規制部材）
１５，２１，３１
…ミラー枠（可動ミラー部材）
１５ｃ，２１ｃ…ミラー枠の裏面部（対物側の面）
１５ｄ…振動抑制板（振動抑制部材）
２１ｄ，３１ｄ…振動抑制バネ（振動抑制部材）
Ｐ１  …ダウン位置（第一の位置）
Ｐ２  …アップ位置（第二の位置）
【図１】
2010160211.tif 000003
【図２】
2010160211.tif 000004
【図３】
2010160211.tif 000005
【図４】
2010160211.tif 000006
【図５】
2010160211.tif 000007
【図６】
2010160211.tif 000008
【図７】
2010160211.tif 000009
【図８】
2010160211.tif 000010
【図９】
2010160211.tif 000011
【図１０】
2010160211.tif 000012
【図１１】
2010160211.tif 000013
【図１２】
2010160211.tif 000014
【図１３】
2010160211.tif 000015
【図１４】
2010160211.tif 000016
【図１５】
2010160211.tif 000017
【図１６】
2010160211.tif 000018
【図１７】
2010160211.tif 000019